(57)【特許請求の範囲】
【請求項１】
固定スクロール及び旋回スクロールの端板の内面に立設されたうず巻状ラップの内周側先端面にシール溝を穿設し、このシール溝内にチップシールを嵌装するとともにこれら固定スクロールと旋回スクロールを相互に偏心し、かつ、位相をずらせて噛み合わせて上記旋回スクロールをその自転を阻止しながら公転旋回運動させるスクロール型流体機械において、
上記固定スクロール及び旋回スクロールのうず巻状ラップの外周側の歯丈を内周側のそれより予め低く形成して置き、上記内周側先端面に上記シール溝を穿設することによって発生したバリをブラッシング等のバリ取り作業により除去することによって内周側の歯丈を外周側のそれと等しくしたことを特徴とするスクロール型流体機械。
【発明の詳細な説明】
【０００１】
【発明の属する技術分野】
本発明は圧縮機又は膨張機として用いられるスクロール型流体機械に関する。
【０００２】
【従来の技術】
従来のスクロール型圧縮機の１例が図３に示されている。
１はハウジングで、カップ状本体２とこれに図示しないボルトによって締結されたフロントハウジング６とからなる。
このフロントハウジング６を貫通する回転軸７はベアリング８及び９を介してフロントハウジング６に回転自在に支持されている。
【０００３】
ハウジング１の内部には固定スクロール10及び旋回スクロール14が配設されている。
この固定スクロール10は端板11とその内面に立設されたうず巻状ラップ12とを備え、この端板11はボルト13によってカップ状本体２に締結されている。
端板11の外周面をカップ状本体２の内周面に密接させることによってハウジング１内が仕切られ、端板11の外側には吐出キャビティ31が限界され、端板11の内側には吸入室28が限界されている。
【０００４】
また、端板11の中央には吐出ポート29が穿設され、この吐出ポート29は吐出弁30によって開閉される。
吐出弁30の揚程は弁押さえ32によって規制され、吐出弁30及び弁押さえ32の一端はボルト33によって端板11に締結されている。
【０００５】
旋回スクロール14は端板15とその内面に立設されたうず巻状ラップ16とを備え、このうず巻状ラップ16は固定スクロール10のうず巻状ラップ12と実質的に同一の形状、寸法を有している。
旋回スクロール14と固定スクロール10とは相互に所定距離だけ偏心し、かつ、180 °だけ位相をずらせて図示のように噛み合わされる。
【０００６】
かくして、うず巻状ラップ12の内周側先端面に埋設されたチップシール17は端板15の内面に密接し、うず巻状ラップ16の内周側先端面に埋設されたチップシール18は端板11の内面に密接し、うず巻状ラップ12と16の側面は複数個所で線接触してうず巻の中心に対してほぼ点対称をなす複数の圧縮室19a 、19b が形成される。
【０００７】
端板15の外面中央部に突設された円筒状ボス20の内部にはドライブブッシュ21が旋回軸受23を介して回動自在に嵌装され、このドライブブッシュ21に穿設されたスライド溝24内には回転軸７の内端に偏心して突設された偏心駆動ピン25がスライド可能に嵌合されている。
【０００８】
端板15の外面の外周縁とフロントハウジング６の内端面との間にはスラスト軸受36及びオルダムリンク26が介装され、ドライブブッシュ21にはバランスウェイト27が固定され、回転軸７にはバランスウェイト34が固定されている。
【０００９】
しかして、回転軸７を回転させると、偏心駆動ピン25、スライド溝24、ドライブブッシュ21、旋回軸受23、ボス20等からなる旋回駆動機構を介して旋回スクロール14が駆動され、旋回スクロール14はオルダムリンク26によってその自転を阻止されながら公転旋回半径を半径とする円軌道上を公転旋回運動する。
【００１０】
すると、うず巻状ラップ12と16の側面の線接触部が次第にうず巻の中心方向に移動し、この結果、圧縮室19a 、19b はその容積を減少しながら、うず巻の中心方向へ移動する。
これに伴って、図示しない吸入口を通って吸入室28へ流入したガスがうず巻状ラップ12と16との外終端開口部から圧縮室19a 、19b 内へ取り込まれて圧縮されながら中央の室22に至り、ここから吐出ポート29を通り吐出弁30を押し開いて吐出キャビティ31へ吐出され、そこから図示しない吐出口を経て流出する。
【００１１】
図２(A) には固定スクロール10の斜視図が示され、図２(B) は図２(A) のＢ−Ｂ線に沿う部分的断面図である。
固定スクロール10のうず巻状ラップ12の内周側42の先端面42a にシール溝37が穿設され、このシール溝37内に図示しないチップシールが埋設されているが、外周側41の先端面41a にはチップシールが埋設されていない。
【００１２】
内周側先端面42a にシール溝37を穿設することによって形成されたバリ38は鉄、ナイロン等のブラシを用いて内周側先端面42a をブラッシングする等のバリ取り作業によって除去していた。
旋回スクロール14も固定スクロール10と同様である。
【００１３】
【発明が解決しようとする課題】
従来のスクロール型圧縮機においては、固定スクロール10及び旋回スクロール14のうず巻状ラップ12、16の内周側先端面42a にシール溝37を穿設することによって発生したバリ38は内周側先端面42a をブラッシング等のバリ取り作業を実施することによって除去しているため、このバリ取り作業によってうず巻状ラップ12、16の内周側先端面42a が摩耗し、この分（５〜15μm)だけうず巻状ラップ12、16の外周側41の歯丈が内周側42のそれより高くなる。
【００１４】
この結果、スクロール型圧縮機の運転時、固定スクロール10及び旋回スクロール14のうず巻状ラップ12、16の外周側先端面41a とこれに対向する端板15、11の内面との間でかじりが発生するおそれがあった。
【００１５】
【課題を解決するための手段】
本発明は上記課題を解決するために発明されたものであって、その要旨とするところは、固定スクロール及び旋回スクロールの端板の内面に立設されたうず巻状ラップの内周側先端面にシール溝を穿設し、このシール溝内にチップシールを嵌装するとともにこれら固定スクロールと旋回スクロールを相互に偏心し、かつ、位相をずらせて噛み合わせて上記旋回スクロールをその自転を阻止しながら公転旋回運動させるスクロール型流体機械において、上記固定スクロール及び旋回スクロールのうず巻状ラップの外周側の歯丈を内周側のそれより予め低く形成して置き、上記内周側先端面に上記シール溝を穿設することによって発生したバリをブラッシング等のバリ取り作業により除去することによって内周側の歯丈を外周側のそれと等しくしたことを特徴とするスクロール型流体機械にある。
【００１６】
【発明の実施の形態】
本発明の実施形態が図１に示され、(A) は固定スクロールの斜視図、(B) はうず巻状ラップのうず巻に沿う展開図である。
【００１７】
固定スクロール10のうず巻状ラップ12の外周側41( うず巻の約1/4 巻分) の歯丈L1は内周側42( うず巻の約1.5 巻分) の歯丈L2より予め若干量、即ち、内周側先端面42a がバリ取り作業によって摩耗する量δ( 例えば５〜10μm)だけ低く形成されている。
【００１８】
しかして、内周側先端面42a にシール溝37を穿設することによって発生したバリ38をブラッシング等のバリ取り作業によって除去することによって内周側先端面42a が摩耗すると、内周側42の歯丈L2は外周側41の歯丈L1と等しくなる。
【００１９】
なお、図示していないが旋回スクロール14も固定スクロール10と同様に構成される。
他の構成は図２及び図３に示す従来のものと同様であり、対応する部材には同じ符号を付してその説明を省略する。
【００２０】
【発明の効果】
本発明においては、固定スクロール及び旋回スクロールのうず巻状ラップの外周側の歯丈を内周側のそれより予め低く形成して置き、内周側先端面にシール溝を穿設することによって発生したバリをブラッシング等のバリ取り作業により除去することによって内周側の歯丈を外周側のそれと等しくしたため、スクロール型流体機械の運転時、固定スクロール及び旋回スクロールのうず巻状ラップの外周側先端面が対向する端板の内面に噛み込むことによるかじりを防止することができる。
【図面の簡単な説明】
【図１】本発明の第１の実施形態を示し、(A) は固定スクロールの斜視図、(B) はうず巻状ラップのうず巻に沿う展開図である。
【図２】従来のスクロール型圧縮機の固定スクロールを示し、(A) は斜視図、(B) は(A) のＢ−Ｂ線に沿う部分的断面図である。
【図３】従来のスクロール型圧縮機の縦断面図である。
【符号の説明】
10  固定スクロール
11  端板
12  うず巻状ラップ
41  外周側
41a 先端面
L1  歯丈
42  内周側
42a 先端面
37  シール溝
L2  歯丈
【図１】
0004008071.tif 000002
【図２】
0004008071.tif 000003
【図３】
0004008071.tif 000004